(57)【要約】【課題】ダクト等に接続され風量調整に使用されるダンパーにおいて、ダクトに接続した状態で容易にダンパーの交換ができることを目的とする。【解決手段】内部に風路を有する筐体１と当該筐体内の風路面積を可変するダンパー構造体２とを備えた風量調整ダンパーであって、ダンパー構造体２は、内部風路５に挿入される開閉機構部７と、筐体１の外部に位置する電装部８と、から成り、開閉機構部７は、回転軸１５を回転駆動させるモーター１４と、回転軸１５の回転駆動により内部風路５の通過面積を変更するダンパー９を備え、筐体１は、開閉機構部７を当該筐体１の外部から内部に挿入可能な開口６と、開閉機構部７を開口６の内部に挿入した状態でダンパー構造体２を着脱可能に当該筐体１に固定する固定具３とを備えたことにより、ダンパー構造体２を自由に筐体１から着脱させることができるため、メンテナンス性の良い風量調整ダンパーを得られる。【選択図】図１
2018169098.tif 000002
【特許請求の範囲】
【請求項１】
内部に風路を有する筐体と当該筐体内の風路面積を可変するダンパー構造体とを備えた風量調整ダンパーであって、
前記ダンパー構造体は、前記風路に挿入される開閉機構部と、前記筐体の外部に位置する電装部と、から成り、
前記開閉機構部は、回転軸を回転駆動させる電動機を備え、
前記開閉機構部は、前記回転軸の回転駆動により前記風路面積を変更するダンパーを備え、
前記筐体は、
前記開閉機構部を当該筐体の外部から内部に挿入可能な開口と、
前記開閉機構部を前記開口の内部に挿入した状態で前記ダンパー構造体を着脱可能に当該筐体に固定する固定具と、を備えた風量調整ダンパー。
【請求項２】
前記開閉機構部は、
前記ダンパーと、
前記ダンパーの縁部よりもさらに外周に位置し挿入時に前記風路の内壁に接触して前記開閉機構部を前記風路内部に固定するフレームと、を備えた請求項１記載の風量調整ダンパー。
【請求項３】
前記電装部は、
前記電動機と、
前記電動機を格納し前記フレームと係止して前記開閉機構部の着脱を補助する箱体と、を備えた請求項２記載の風量調整ダンパー。
【請求項４】
前記固定具は、一端と他端とを前記ダンパー構造体に接続し、前記一端と他端とに挟まれた固定部が前記筐体の外周面を把持する請求項１から３のいずれかに記載の風量調整ダンパー。
【請求項５】
前記筐体は、中空円筒形状を有し、
前記回転軸は、前記風路の中心を通って回転駆動し、
前記モーターによる前記回転軸の前記回転駆動の範囲は、前記ダンパーを構成する面が前記風路の送風方向に対して０度から９０度の範囲である、請求項１から４のいずれかに記載の風量調整ダンパー。
【請求項６】
前記回転軸は、前記モーターが有するモーター回転軸と、前記モーター回転軸に接続して前記ダンパーを回転駆動する中継軸と、を備え、
前記中継軸は、前記電装部において前記ダンパーと接続し、前記ダンパーが接続された端部とは逆の端部に前記ダンパーの向きを認識可能かつ前記ダンパーを回動可能なレバーを備えた請求項１から５のいずれかに記載の風量調整ダンパー。
【請求項７】
前記レバーは、棒状であり、前記棒状における長手方向が前記ダンパーの面と平行に設けられた請求項６記載の風量調整ダンパー。
【請求項８】
前記筐体は、上流端及び／又は下流端にダクトに接続するためのアダプタを備えた請求項１から７のいずれかに記載の風量調整ダンパー。
【発明の詳細な説明】
【技術分野】
【０００１】
本発明は、ダクト等に接続され風量調整に使用されるダンパーに関するものである。
【背景技術】
【０００２】
従来、この種の風量調整ダンパーは、天井裏や階間など狭所空間を通るダクト系の一部として構成される。両端が開放された円筒形の筐体内に円形のダンパーが設けられ、ダンパーをモーター等により回転駆動させるようになっている。ダンパーは回転軸に固定され回転軸が回転駆動が可能なように軸受け部材により支持され、筐体外部で回転軸とモーター等の駆動装置シャフトと連結されるものが知られている。
【０００３】
以下、その風量調整ダンパーについて図６を参照しながら説明する。
【０００４】
図６に示すように、風量調整ダンパー１０１は内部に風路を有する筐体１０２と風路内に組み込まれたダンパーと、ダンパー回転軸を保持する軸受け部材と筐体外部に取り付けられたモーター１０３とからなり、ダンパーはダンパー回転軸と一体にネジ固定され、モーター回転軸が接続され、回転駆動することで風路内部の断面積を変化させることにより風量調整される。
【先行技術文献】
【特許文献】
【０００５】
【特許文献１】特開平５−１１８６３６号公報
【発明の概要】
【発明が解決しようとする課題】
【０００６】
このような風量調整ダンパーにおいては、ダクト系の一部として構成されるため、ダンパー軸受け部材に不具合が生じた場合、モーターを外部から交換するだけでは復旧させることができず、接続されたダクトを一度筐体から取り外し、風量調整ダンパーを交換した後、再度ダクト施工が必要であるため、メンテナンス性が悪いという課題を有していた。
【０００７】
そこで本発明は、このような従来の課題を解決するものであり、ダクトに接続される風量調整ダンパーにおいて、ダクトに接続した状態で容易にダンパーの交換ができるメンテメンス性の良い風量調整ダンパーを提供することを目的とする。
【課題を解決するための手段】
【０００８】
本発明の風量調整ダンパーは上記目的を達成するために、内部に風路を有する筐体と当該筐体内の風路面積を可変するダンパー構造体とを備え、
前記ダンパー構造体は、前記風路に挿入される開閉機構部と、前記筐体の外部に位置する電装部と、から成り、
前記開閉機構部は、回転軸を回転駆動させる電動機を備え、
前記開閉機構部は、前記回転軸の回転駆動により前記風路面積を変更するダンパーを備え、
前記筐体は、
前記開閉機構部を当該筐体の外部から内部に挿入可能な開口と、
前記開閉機構部を前記開口の内部に挿入した状態で前記ダンパー構造体を着脱可能に当該筐体に固定する固定具と、を備えたものであり、これにより所期の目的を達成するものである。
【発明の効果】
【０００９】
本発明によれば、ダンパーの交換において、ダクトに接続した状態で容易にダンパーの交換ができ、メンテメンス性の良い風量調整ダンパーを提供することができる。
【図面の簡単な説明】
【００１０】
【図１】本発明の実施の形態１の風量調整ダンパーの構成を示す斜視図
【図２】同風量調整ダンパーの分解図
【図３】同風量調整ダンパーの構造を示す垂直断面図
【図４】同風量調整ダンパーの構造を示す水平断面図
【図５】同風量調整ダンパーの電装部の箱体内部の断面図
【図６】従来の風量調整ダンパーの構成を示す正面図
【発明を実施するための形態】
【００１１】
本発明に係る風量調整ダンパーは、
内部に風路を有する筐体と当該筐体内の風路面積を可変するダンパー構造体とを備え、
前記ダンパー構造体は、前記風路に挿入される開閉機構部と、前記筐体の外部に位置する電装部と、から成り、
前記開閉機構部は、回転軸を回転駆動させる電動機を備え、
前記開閉機構部は、前記回転軸の回転駆動により前記風路面積を変更するダンパーを備え、
前記筐体は、
前記開閉機構部を当該筐体の外部から内部に挿入可能な開口と、
前記開閉機構部を前記開口の内部に挿入した状態で前記ダンパー構造体を着脱可能に当該筐体に固定する固定具と、を備えた構成を有する。
【００１２】
これにより、風量調整ダンパーがダクト施工された状態、すなわち筐体がダクトの一部となった場合であっても、ダンパー構造体は固定具により筐体に保持される構造であるため、固定具を取外すことにより、ダンパー構造体の挿入部を風路外に取り出すことができる。言い換えれば固定具外すことでダンパー構造体の挿入部を自由に筐体から着脱させることができるため、メンテナンス性が向上する。という効果を奏する。
【００１３】
また、前記開閉機構部は、前記ダンパーと、前記ダンパーの縁部よりもさらに外周に位置し挿入時に前記風路の内壁に接触して前記開閉機構部を前記風路内部に固定するフレームと、を備えた構成にしてもよい。
【００１４】
これにより、通風状態でダンパーを閉塞した際に生じる風路内圧力（静圧）が上昇した場合であっても風路内圧力より大きい力で挿入部を保持でき、風路内でダンパー回転軸が傾くことを抑制でき、ダンパー開閉が円滑に行えるため、安定した風量調整ができる、という効果を奏する。
【００１５】
また、前記電装部は、前記電動機と、前記電動機を格納し前記フレームと係止して前記開閉機構部の着脱を補助する箱体とを備えた構成としてもよい。これにより、ダンパー構造体の着脱時には、電装部の箱体を掴んで行うことになり、着脱作業が容易になる。
【００１６】
また、前記固定具は、一端と他端とを前記ダンパー構造体に接続し、前記一端と他端とに挟まれた固定部が前記筐体の外周面を把持する構成としても良い。
【００１７】
これにより、ダンパー構造体と固定具が環状につながり、ダンパー構造体が筐体から外れることを抑制できるため、ダンパー構造体を安定して筐体に保持することができる。という効果を奏する。
【００１８】
また、前記筐体は、中空円筒形状を有し、前記回転軸は、前記風路の中心を通って回転駆動し、前記モーターによる前記回転軸の前記回転駆動の範囲は、前記ダンパーを構成する面が前記風路の送風方向に対して０度から９０度の範囲とする構成としてもよい。
【００１９】
これにより送風により生じる動圧がダンパーを構成する面に対し均等に加わり、定位置で回転軸が均衡を保とうとする。そのため、ダンパーの開閉に必要な回転トルクが小さくてすみ、モーターを小型化することができる。また、モーターを小型化できるので、ダンパー構造体の非挿入部を小型化することができ、狭所でのメンテナンス性が向上する、という効果を奏する。
【００２０】
また、前記回転軸は、前記モーターが有するモーター回転軸と、前記モーター回転軸に接続して前記ダンパーを回転駆動する中継軸と、を備え、前記中継軸は、前記電装部において前記ダンパーと接続し、前記ダンパーが接続された端部とは逆の端部に前記ダンパーの向きを認識可能かつ前記ダンパーを回動可能なレバーを備えた構成としてもよい。
【００２１】
これにより、モーターが回転駆動できない場合であっても手動でダンパーを閉状態にすることができ、ダンパー構造体を筐体から着脱できるようになるため、メンテナンス性が向上する。という効果を奏する。
【００２２】
また、前記レバーは棒状であり前記棒状における長手方向が前記ダンパーの面と平行に設けられた構成としてもよい。
【００２３】
これにより、モーターが回転駆動できない場合であっても目視でダンパーの角度が認識でき、容易にダンパーを閉状態にすることができ、ダンパー構造体を筐体から着脱できるようになるため、メンテナンス性が向上する。という効果を奏する。
【００２４】
また、前記筐体は、上流端及び／又は下流端にダクトに接続するためのアダプタを備えた構成としてもよい。
【００２５】
これにより、接続先の部材が継ぎ手の場合であってもダクトの場合であっても部材を追加することなく筐体をダクト系の一部として施工することができるため、施工性が向上するという効果を奏する。
【００２６】
以下、添付図面を参照して本発明の実施の形態につき説明し、本発明の理解に供する。
【００２７】
なお、以下の実施の形態は、本発明を具体化した一例であって、本発明の技術的範囲を限定するものではない。また、全図面を通して、同一の部位については同一の符号を付して二度目以降の説明を省略している。
（実施の形態１）
図１に示すように、本実施の形態に係る風量調整ダンパーは、筐体１と、ダンパー構造体２と、固定具３と、筐体１の両端にアダプター４と、を備えダクト接続可能としている。筐体１は成形性のよい樹脂例えば発泡スチロールを材料として成型され、中空円筒形状で内部風路５を有する。中空円筒形状の筐体１は、同一形状の半円筒形部品１ａを２つ繋ぎ合せることでなる。
【００２８】
筐体１のほぼ中央には、内部風路５と連通する方形の開口６が設けられる。開口６の短辺側の中心には溝が設けられ後述するフレーム１０の外周に設けられたリブ１１が収まる構成としている。開口６の長辺の長さは、内部風路５の直径と同じ、もしくは内部風路５の直径よりも長くなっている。
【００２９】
次にダンパー構造体２の構成について説明する。
【００３０】
図２及び図３に示すように、ダンパー構造体２は開閉機構部７と電装部８を有している。開閉機構部７は、ダンパー９と、ダンパー９を保持するフレーム１０とを有している。
【００３１】
電装部８は、矩形の箱状であり、内部にはモーター１４が配置される。モーター１４は、電装部８内部に設けられた固定用ボス部２７（図５に記載）にねじにより固定され配置される。モーター１４の回転軸１５は、後述するダンパー回転軸２１と中継軸１３を介して接続される。電装部８の外郭（箱）には、中継軸１３を通すための貫通穴１２が設けられている。
【００３２】
中継軸１３は、棒状の形状で、一端を角柱形状としてダンパー回転軸２１に接続される。他端は、モーター１４の回転軸１５に嵌合し、モーター１４の回転力をダンパー９に伝達する。
【００３３】
ダンパー９は、円形であり、この円形の中心を通る中心線をダンパー回転軸２１としている。ダンパー回転軸２１の一端は、ダンパー９の外周に位置し、円筒形である。すなわち、ダンパー回転軸２１の一端は、ダンパー９の中心に向かってへこんだ凹部２２を有している。そして、ダンパー回転軸２１の他端は、ダンパー９の中心に向かって方形の凹部２４が設けられている。
【００３４】
フレーム１０は、ダンパー９の外縁のさらに外周に位置し、ダンパー９を囲み、外形がＵ字形状となっている。すなわち、フレーム１０は、電装部８の反対側の円弧形状の枠と、電装部８側の２本の平行棒とでＵ字形状を形成したものである。そして、フレーム１０は、筐体１に設けられた開口６に挿入して装着される。筐体１に装着されたフレーム１０は、その外周全体が内部風路５と接触するように配置される。フレーム１０には、外周に沿ってリブ１１が設けられている。
【００３５】
また、フレーム１０の内周側であって、ダンパー回転軸２１の一端（凹部２２を有した端部）と対向する位置には、円筒形の凸部２３が設けられている。なお、この凸部２３は円柱形であってもよい。このフレーム１０に設けられた凸部２３は、ダンパー回転軸２１の一端に設けられた凹部２２に嵌合（隙間ばめ）する。
【００３６】
ダンパー回転軸２１の他端側は、前述のとおり、方形の凹部２４が設けられている。この凹部２４には、中継軸１３の角柱型の一端が嵌合している。また、前述のように、中継軸１３の他端は、モーター１４の回転軸１５と嵌合している。このようにして、フレーム１０に設けられた凸部２３とダンパー回転軸２１と中継軸１３とモーター１４の回転軸１５とが同一直線上に配置される。そして、モーター１４の回転駆動によりダンパー９が開閉することとなる。
【００３７】
筐体１に設けられた開口６は、フレーム１０の水平断面とほぼ同一形状である。すなわち、前述のとおり、開口６は、略長方形で、短辺側に前述したフレーム１０のリブ１１に対応する溝を有している。フレーム１０の水平断面とは、前述したフレーム１０を構成する２本の平行棒に直交する面である。
【００３８】
筐体１の内部風路５には、フレーム１０に設けられたリブ１１が嵌合する溝２６が形成されている。また、フレーム１０自体が嵌合する溝を設けても良い。すなわち、フレーム１０は、開口６からスライドするようにして筐体１内部（すなわち内部風路５内）に挿入することができる。そして、フレーム１０の外周に設けたリブ１１が、内部風路５の内壁面に設けた溝２６に嵌合して、フレーム１０は、内部風路５内にて位置決めされる。従って、内部風路５内の圧力が上昇した場合（ダンパー９が閉塞した場合）であっても、風路内圧力より大きい力で開閉機構部７を保持できる。そして、内部風路５内でダンパー回転軸２１が傾くことを抑制でき、ダンパー９の開閉が円滑に行えるため、安定した風量調整ができる。
【００３９】
図２に示すように、筐体１にダンパー構造体２を固定するには、固定具３が用いられる。固定具３は、Ｕ字形状であり、両端が向き合うように内向きに折り曲げられた固定部３ａが設けられている。固定具３は、筐体１の外周面を把持するように配置される。固定部３ａは、電装部８の外部に張り出すように設けられた固定台２５にねじにより固定される。このような構成にすることにより、ダンパー構造体２が筐体１から外れることを抑制できるため、ダンパー構造体２を安定して筐体１に保持することができる。言い変えれば、固定具３からねじを取り外すことでダンパー構造体２は自由に取り外すことができる。これによりダクトに接続した状態で容易にダンパー９の交換ができ、メンテメンス性を良くすることができる。
【００４０】
次に中継軸１３について説明する。
【００４１】
図３に示すように、中継軸１３の上端（モーター１４側）付近には、レバー１６が設けられている。図３においては、レバー１６、ダンパー９の全開状態における位置を仮想線（点線）で示している。
【００４２】
レバー１６は、中継軸１３から棒状に突出し、中継軸１３と略直角で、ダンパー９の面と略平行になるように突出している。本実施の形態においては、電装部８内にレバー１６が位置しているが、電装部８の上方、あるいは下方になるように配置しても良い。
【００４３】
本実施の形態において、図５に示すように、レバー１６は、電装部８内で回動可能になっている。レバー１６の長さ、すなわち、レバー１６の回転範囲は、モーター１４の回転軸１５を中心とし、固定用ボス部２７との距離を最大半径としたものである。
【００４４】
レバー１６は、電装部８内にて手動で回転させることができる。従って、異常時（モーターが動作しない状態）であっても手動でダンパー９の角度を変更することができる。そして、レバー１６を操作して、ダンパー９を閉鎖することにより、ダンパー構造体２を筐体１から着脱できこととなる。これによりダクトに接続した状態で容易にダンパー９の交換などのメンテ作業ができ、メンテメンス性を良くすることができる。
【００４５】
またレバー１６の位置をダンパー９の面と平行に設けることで、ダンパー９の位置が目視で確認できるようになる。そのため、より容易にダンパー９の角度を変更することができ、ダンパー構造体２を筐体１から着脱できこととなる。
【産業上の利用可能性】
【００４６】
本発明に係る風量調整ダンパーは、ダクトに接続した状態で容易にダンパーの交換を可能とするものであるので、住宅の空調システム等に使用される風量分配装置等として有用である。
【符号の説明】
【００４７】
１    筐体
２    ダンパー構造体
３    固定具
４    アダプター
５    内部風路
６    開口
７    開閉機構部
８    電装部
９    ダンパー
１０    フレーム
１１    リブ
１２    貫通穴
１３    中継軸
１４    モーター
１５    回転軸
１６    レバー
２１    ダンパー回転軸
２２    凹部
２３    凸部
２４    凹部
２５    固定台
２６    溝
２７    固定用ボス部
【図１】
2018169098.tif 000003
【図２】
2018169098.tif 000004
【図３】
2018169098.tif 000005
【図４】
2018169098.tif 000006
【図５】
2018169098.tif 000007
【図６】
2018169098.tif 000008